(57)【特許請求の範囲】
【請求項１】
容器の口部を密封するパッキン用の保持部を有する内キャップと、該内キャップとともに容器の口部に装着する外キャップとを備えてなり、前記内キャップは、先端に係合爪を有する係合片と、先端に操作部を有し、中途に係合突部を有する操作片とを前記保持部のまわりに一体成形し、前記外キャップは、前記各係合片に対応するガイド面を内面に形成し、前記各操作部を収納する切欠きを下端に形成し、前記外キャップを下向きにスライドさせると、前記ガイド面を介して前記係合片が下向きに折り畳まれて前記係合爪が容器の口部の係合リングに係合し、前記係合突部が前記切欠きの上部の係合部に係合することを特徴とする容器のキャップ。
【請求項２】
前記外キャップは、前記内キャップを下向きに付勢することを特徴とする請求項１記載の容器のキャップ。
【請求項３】
前記外キャップは、前記内キャップを外れ止めすることを特徴とする請求項１または請求項２記載の容器のキャップ。
【請求項４】
容器の口部の外周には、前記各操作部の押し操作を不能にする突部を部分的に設けることを特徴とする請求項１ないし請求項３のいずれか記載の容器のキャップ。
【発明の詳細な説明】
【技術分野】
【０００１】
この発明は、容器の口部を一挙動で繰り返し閉栓し、開栓することができる容器のキャップに関する。
【背景技術】
【０００２】
容器の口部を一挙動で繰り返し閉栓し、開栓することができる容器のキャップは、いわゆるワンタッチキャップとして知られている（たとえば特許文献１）。
【０００３】
従来のワンタッチキャップは、上向きに僅かに膨出する円形の天板のまわりに上下に揺動可能なリング状の装着部を付設して形成されている。装着部の下端には、内向きの係合突部がリング状に形成されており、天板の外周部下面には、スカート部が垂設されている。そこで、このものは、天板の中央部を下向きに押圧して凹ませることにより装着部を上方に揺動させ、容器の口部にスカート部を圧入し、装着部の外周を外側から手指で挟み込んで装着部を下向きに揺動させると、装着部の下端の係合突部が口部の外周の係合凹部に嵌合して口部を閉じることができる。また、口部を開栓するときは、天板の中央部を押圧して装着部を上方に揺動させる。
【先行技術文献】
【特許文献】
【０００４】
【特許文献１】特開２００７−１１２４９７号公報
【発明の概要】
【発明が解決しようとする課題】
【０００５】
かかる従来技術によるときは、ワンタッチキャップは、構造が簡単であるが、開栓のために天板を押圧して装着部を変形させるに必要な押圧力が過大になりがちである上、閉栓時の密閉性が完全でなく、使い勝手が必ずしもよくないという問題があった。
【０００６】
そこで、この発明の目的は、かかる従来技術の問題に鑑み、高齢者などの非力な使用者でも便利に快適に開閉操作可能であり、高い密閉性を容易に実現することができる容器のキャップを提供することにある。
【課題を解決するための手段】
【０００７】
かかる目的を達成するためのこの発明の構成は、容器の口部を密封するパッキン用の保持部を有する内キャップと、内キャップとともに容器の口部に装着する外キャップとを備えてなり、内キャップは、先端に係合爪を有する係合片と、先端に操作部を有し、中途に係合突部を有する操作片とを保持部のまわりに一体成形し、外キャップは、各係合片に対応するガイド面を内面に形成し、各操作部を収納する切欠きを下端に形成し、外キャップを下向きにスライドさせると、ガイド面を介して係合片が下向きに折り畳まれて係合爪が容器の口部の係合リングに係合し、係合突部が切欠きの上部の係合部に係合することをその要旨とする。
【０００８】
なお、外キャップは、内キャップを下向きに付勢することができ、内キャップを外れ止めすることができる。
【０００９】
また、容器の口部の外周には、各操作部の押し操作を不能にする突部を部分的に設けてもよい。
【発明の効果】
【００１０】
かかる発明の構成によるときは、外キャップは、内キャップを容器の口部上に載せてセットし、内キャップに被せるようにして下向きにスライドさせると、内キャップの各係合片が一斉に下向きに折り畳まれて下端の係合爪が口部の外周の係合リングに係合するとともに、内キャップの各操作片上の係合突部に外キャップ側の係合部が弾発的に係合し、内キャップとともに外キャップをロックして容器の口部を閉じることができる。なお、このとき、口部は、内キャップの保持部に保持するパッキンを介して密封される。容器の口部を開栓するときは、内キャップの各操作片の先端の操作部を手指で押し操作し、各操作片の係合突部を外キャップの係合部から外して外キャップのロックを解放し、外キャップ、内キャップを容器の口部から取り外す。そこで、容器の口部は、それぞれ一挙動で軽快に開閉操作可能である。
【００１１】
外キャップは、内キャップを下向きに付勢することにより、開栓時において、外キャップのロックを解放すると同時に上方に跳ね上がり、いわゆるポップアップ動作を実現することができる。なお、このような外キャップの付勢手段は、たとえば外キャップの天面に垂設する板ばね状の垂下部材によってもよく、外キャップと内キャップとの間に介装する独立のばね部材によってもよい。
【００１２】
外キャップは、あらかじめ内キャップとルーズに組み合わせて外れ止めすることにより、開栓後に内キャップから分離してしまうことがなく、再度の閉栓に際して一層便利である。なお、このような外れ止め手段は、たとえば外キャップ、内キャップの双方に互いに係合する係合部分を形成して実現することができ、その具体的な形態は、任意に選定することができる。
【００１３】
内キャップの各操作部の押し操作を不能にする突部を容器の口部に部分的に設ければ、閉栓後の外キャップ、内キャップを口部のまわりに一体に回転させ、各操作部を突部の位置に合わせることにより、容器の口部を開栓不能にロックして、いわゆる安全キャップの機能を実現することができる。なお、このような突部は、口部の外周に形成し、周方向の一部を切り欠くリング状に形成してもよく、所定位置に配置する単一または複数の突起状に形成してもよい。
【図面の簡単な説明】
【００１４】
【図１】全体構成説明図
【図２】容器の口部の正面図
【図３】内キャップの構成説明図
【図４】外キャップの構成説明図
【図５】動作説明図（１）
【図６】動作説明図（２）
【図７】動作説明図（３）
【発明を実施するための形態】
【００１５】
以下、図面を以って発明の実施の形態を説明する。
【００１６】
容器のキャップは、内キャップ１０と、外キャップ２０とを備えてなる（図１）。ただし、図１（Ａ）は、全体正面図であり、同図（Ｂ）、（Ｃ）は、それぞれ同図（Ａ）の中央縦断面図、内キャップ１０の係合片１３、１３を通る位置における中央縦断面図である。なお、内キャップ１０、外キャップ２０は、容器３０の口部３１に装着され、口部３１を開閉することができる。
【００１７】
容器３０の口部３１の外周には、半周以下の一対のリング状の突部３２、３２、全周の係合リング３３、半周以下の一対のリング状の突部３４、３４が上から順に形成されている（図２）。突部３２、３２は、中間の切れ目３２ａ、３２ａを介して口部３１のまわりに対称形に配置され、突部３４、３４は、中間の切れ目３４ａ、３４ａを介して対称形に配置されている。ただし、図２には、各切れ目３２ａ、３４ａは、それぞれ手前側の１個のみが図示されている。また、各切れ目３４ａは、各切れ目３２ａに対応しており、切れ目３２ａより長く形成されている。
【００１８】
内キャップ１０は、下向きのパッキン用の保持部１１のまわりに一対の操作片１２、１２、複数対の係合片１３、１３…をそれぞれ対称形に一体成形して形成されている（図３）。ただし、図３（Ａ）は、展開平面図、同図（Ｂ）〜（Ｄ）は、それぞれ同図（Ａ）のＸ1 −Ｘ1 線、Ｘ2 −Ｘ2 線、Ｘ3 −Ｘ3 線矢視断面図である。
【００１９】
リング状の保持部１１の内部には、上向きの円形の凹部１４が形成されている。凹部１４内には、径方向のリブ１４ａと、リブ１４ａと平行な大小の羽根状のガイドリブ１４ｂ、１４ｂ、１４ｃ、１４ｃとが形成されている。
【００２０】
各操作片１２は、保持部１１の天面に対し、薄肉部１２ａを介して連接されている。また、各操作片１２の先端には、旗状の操作部１２ｂが形成され、上面中途には、断面直角台形状の係合突部１２ｃが操作片１２を横切るようにして形成されている。なお、各操作部１２ｂの上面は、滑らかに湾曲している。各操作片１２は、薄肉部１２ａを介して下向きに折り曲げることができる。ただし、薄肉部１２ａによる操作片１２の最大折曲げ角度は、約９０°前後に制限されている。
【００２１】
各係合片１３は、上面に一対のリブ１３ａ、１３ａを有する平板上に形成されている。各係合片１３は、保持部１１の外縁に対し、薄肉部１３ｂを介して連接されており、各係合片１３の先端には、下向きの係合爪１３ｃが形成されている。各係合爪１３ｃの先端は、上向きに湾曲しており、各係合片１３は、薄肉部１３ｂを介して下向きに約９０°に折り曲げることができる。
【００２２】
保持部１１の外周には、水平板状の小突起１５、１５…が操作片１２、１２、係合片１３、１３…の間に外向きに形成されている。各小突起１５には、保持部１１の外周との間に補強リブ１５ａが付設されている。
【００２３】
外キャップ２０は、天板２１を有する円筒状に形成されている（図４）。ただし、図４（Ａ）、（Ｂ）は、互いに９０°異なる位置から見る半断面正面図、同図（Ｃ）は、底面図、同図（Ｄ）は、同図（Ｃ）のＹ−Ｙ線矢視相当の正立断面図である。
【００２４】
外キャップ２０の外周下端には、内キャップ１０の操作部１２ｂ、１２ｂに適合する一対の下向きの切欠き２２、２２が形成されている。各切欠き２２の上辺は、内向きの斜面２２ａに形成され、各切欠き２２の上方には、横向きの係合部２２ｂ、開口部２２ｃが形成されている。また、外キャップ２０の内面には、内キャップ１０の係合片１３、１３…に対応するガイド面２３、２３…が形成されており、各ガイド面２３の下端は、斜面２３ａに形成されている。
【００２５】
外キャップ２０の下端内面には、各切欠き２２の両側、隣接するガイド面２３、２３の間に位置するようにして、それぞれ上向きの小フック２４、２４…が形成されている。ただし、ガイド面２３、２３の間には、一対の小フック２４、２４が並設されている。また、天板２１の外周部分には、小フック２４、２４…の成形用の小孔２４ａ、２４ａ…が開口されている。さらに、外キャップ２０の天板２１の下面、すなわち天面には、一対の板ばね状の垂下部材２５、２５が垂設されている。
【００２６】
容器３０の口部３１を閉栓するときは、保持部１１にリング状のパッキンＰを装着した内キャップ１０を外キャップ２０と組み合わせておき、両者を容器３０の口部３１上に載せてセットする（図５、図６）。ただし、図５（Ａ）、（Ｂ）は、それぞれ内キャップ１０の操作片１２、１２、係合片１３、１３を通る位置の中央縦断面図であり、図６（Ａ）、（Ｂ）は、互いに９０°異なる位置から見る正面図である。
【００２７】
このとき、内キャップ１０は、操作片１２、１２を外キャップ２０の切欠き２２、２２に対応させるとともに、保持部１１の外縁の小突起１５、１５…が外キャップ２０の下端の小フック２４、２４…の上に位置するように、内キャップ１０の一部を外キャップ２０内に挿入する。そこで、内キャップ１０は、外キャップ２０とルーズに組み合わされ、小突起１５、１５…が対応する小フック２４、２４…に係合することにより外れ止めされ、内キャップ１０の係合片１３、１３…は、外キャップ２０の対応するガイド面２３、２３…の下端の斜面２３ａ、２３ａ…により下側に斜めに折り曲げられる。なお、内キャップ１０、外キャップ２０は、容器３０の口部３１に対し、操作片１２、１２、切欠き２２、２２が突部３４、３４の切れ目３４ａ、３４ａに対応する方向にセットするものとする。
【００２８】
つづいて、外キャップ２０の天板２１を手指で押し（たとえば図５（Ａ）の矢印Ｓ1 方向）、外キャップ２０を下向きにスライドさせると、内キャップ１０の係合片１３、１３…が下向きに一斉に折り畳まれ（図５（Ｂ）の矢印Ｋ1 、Ｋ1 方向）、先端の係合爪１３ｃ、１３ｃ…を口部３１の外周の係合リング３３の下側に係合させることができる（図１（Ｃ））。各係合片１３は、外キャップ２０の対応する斜面２３ａ付きのガイド面２３を介して下向きに折り曲げられるからである。
【００２９】
同時に、内キャップ１０の操作片１２、１２は、それぞれ外キャップ２０の切欠き２２の上辺の斜面２２ａにより下向きに押されて折り曲げられ（図５（Ａ）の矢印Ｋ2 、Ｋ2 方向）、最終的に、外キャップ２０の各係合部２２ｂが対応する係合突部１２ｃの外側を上から下に通過して係合突部１２ｃの下側に弾発的に係合し（図１（Ｂ））、内キャップ１０とともに外キャップ２０を閉栓状態にロックすることができる。ただし、このときの各操作片１２は、それ自体の弾性により、外向きに開く方向に付勢され、係合突部１２ｃは、係合部２２ｂの上の開口部２２ｃ内に突出する。
【００３０】
閉栓状態において、内キャップ１０の操作部１２ｂ、１２ｂは、それぞれ対応する外キャップ２０の切欠き２２に収納される（図１（Ａ））。また、内キャップ１０内のパッキンＰは、容器３０の口部３１の上端面に密着して口部３１を密封する（同図（Ｂ）、（Ｃ））。さらに、外キャップ２０の天板２１に垂設する垂下部材２５、２５は、それぞれ内キャップ１０の凹部１４内の対応する大小のガイドリブ１４ｂ、１４ｃにガイドされて滑らかに湾曲し、内キャップ１０を下向きに付勢することができる。
【００３１】
容器３０の口部３１を開栓するときは、各操作片１２の操作部１２ｂ、１２ｂを手指で挟み込んで押し操作する（図１（Ｂ）の矢印Ｓ2 、Ｓ2 方向）。これにより、各操作片１２の係合突部１２ｃ、１２ｃが外キャップ２０の内側に移動して係合部２２ｂ、２２ｂから外れ、外キャップ２０は、上方に跳ね上がって内キャップ１０のロックを解放する。外キャップ２０は、垂下部材２５、２５を介して相対的に上方に付勢されているからである。そこで、内キャップ１０とともに外キャップ２０を容器３０の口部３１から取り外し、口部３１を開栓することができる。
【００３２】
一方、閉栓状態の外キャップ２０を内キャップ１０とともに水平方向に回転させると（たとえば図１（Ａ）の矢印Ｋ3 方向）、外キャップ２０の切欠き２２、２２、内キャップ１０の操作部１２ｂ、１２ｂを容器３０の突部３４、３４の切れ目３４ａ、３４ａから外すことができる（図７）。ただし、図７（Ａ）、（Ｂ）は、それぞれ正面図、同図（Ａ）の中央縦断面図である。このとき、内キャップ１０の操作片１２、１２は、容器３０の上方の突部３２、３２の切れ目３２ａ、３２ａから外れ、突部３２、３２と干渉して操作片１２、１２の操作部１２ｂ、１２ｂを押し操作不能にロックし、容器３０の口部３１を開栓不能にすることができる。口部３１を開栓するときは、外キャップ２０、内キャップ１０を図１の状態に戻せばよい。ただし、外キャップ２０、内キャップ１０は、口部３１に対し、どの方向にセットしても閉栓可能にすることができる。
【００３３】
なお、外キャップ２０の天板２１の小孔２４ａ、２４ａ…は、たとえば天板２１の上面にシール材を貼り付けて塞ぐものとする。ただし、小孔２４ａ、２４ａ…は、コアスライド式や無理抜き等の成形方法により無くすることも可能であり、その場合は、シール材を用いる必要がない。なお、内キャップ１０、外キャップ２０は、それぞれポリプロピレン、ポリアセタールなどの硬質樹脂により一体成形する。
【他の実施の形態】
【００３４】
容器３０の上方の突部３２、３２は、中間の係合リング３３と一体にして、広幅の半周以下のリング状に形成することができる。ただし、このとき、突部３２、３２の切れ目３２ａ、３２ａは、係合リング３３を除いて広幅の突部３２、３２の全幅を横断させ、係合片１３、１３…の係合爪１３ｃ、１３ｃ…は、閉栓時において、係合リング３３の下側に係合させる。
【００３５】
また、容器３０の下方の突部３４、３４は、切れ目３４ａ、３４ａによって突部３２、３２の切れ目３２ａ、３２ａの位置を外部に表示している。そこで、突部３４、３４は、切れ目３４ａ、３４ａとともに、たとえば印刷表示などの任意の表示手段に代えてもよい。さらに、外キャップ２０により内キャップ１０を下向きに付勢する垂下部材２５、２５は、他の任意の形態のばね部材に代えてもよく、外キャップ２０に代えて内キャップ１０と一体に形成してもよく、外キャップ２０、内キャップ１０のいずれからも別体の独立のばね部品としてもよい。
【００３６】
なお、容器３０の上方の突部３２、３２を削除すれば、閉栓時の外キャップ２０、内キャップ１０を開栓不能にロックする安全キャップの機能を喪失させることができる。このとき、下方の突部３４、３４も、当然に削除可能である。この場合、外キャップ２０、内キャップ１０による閉栓操作、開栓操作がそれぞれ一挙動ででき、いずれも片手操作が可能となるため、一層の利便性を実現することができる。
【符号の説明】
【００３７】
Ｐ…パッキン
１０…内キャップ
１１…保持部
１２…操作片
１２ｂ…操作部
１２ｃ…係合突部
１３…係合片
１３ｃ…係合爪
２０…外キャップ
２２…切欠き
２２ｂ…係合部
２３…ガイド面
３０…容器
３１…口部
３２…突部
３３…係合リング
【図１】
0005480724.tif 000002
【図２】
0005480724.tif 000003
【図３】
0005480724.tif 000004
【図４】
0005480724.tif 000005
【図５】
0005480724.tif 000006
【図６】
0005480724.tif 000007
【図７】
0005480724.tif 000008